(57)【要約】　　　（修正有）【課題】陳列物の交換を容易に行うことができる陳列ケースを提供する。【解決手段】底板２と天板３とが側板４、５等により支持され、前面が下端を回動可能に支持して前開き可能とされた板状前扉７で構成された陳列ケース１であって、底板２における前扉下端７ａの回動域の後部に、前扉７を開いたときに前扉７の下端７ａが当接する当接部１５が設けられ、前扉７が当接部１５と前扉下端７ａとの当接により所定角度に開く。【選択図】　　　図８
2004089540.tif 000002
【特許請求の範囲】
【請求項１】
底板と天板とが側板により支持され、前面が下端を回動可能に支持して前開き可能とされた板状前扉で構成された陳列ケースであって、
底板における前扉下端の回動域の後部に、前扉を開いたときに前扉下端が当接する当接部が設けられ、前扉が当接部と前扉下端との当接により所定角度に開くように構成されていることを特徴とする陳列ケース。
【請求項２】
前扉下端の支持構造は、左右の両側板に設けた縦長孔と、この縦長孔に支持され、前扉の左右両端面に設けられた軸とにより構成され、前扉が閉めた状態で上方への移動可能に設けられ、前扉の左右両端の少なくとも一方に左右方向外側へ突出形成した突出部が、左右側板の該当するものの前面を奥側へ窪ませて形成した段付き部に載るようになっているとともに、段付き部が奥側に下傾し、かつ突出部の下端が下側に凸状となっていることを特徴とする請求項１に記載の陳列ケース。
【請求項３】
底板と天板のそれぞれには、重ねたときに相互に係合する位置決め手段が設けられていることを特徴とする請求項１または２に記載の陳列ケース。
【発明の詳細な説明】
【０００１】
【発明の属する技術分野】
本発明は、例えば人形などを陳列するのに用いられる陳列ケースに関し、特に底板と天板とが側板により支持され、前面が前開き可能とされた板状前扉で構成された新規な陳列ケースに関する。
【０００２】
【従来の技術】
従来、上述した陳列ケースとして、底板の上に、六面体の下面が省略された透明な樹脂製カバーを載せて取付ける構成のものが一般に知られている。
【０００３】
【発明が解決しようとする課題】
ところで、従来の陳列ケースの場合には、その内部に入れた人形等の陳列物の交換に際して、カバーの取付け・取外しが煩わしく、特に陳列ケースを縦に重ねたときには、一層煩わしいものであった。
【０００４】
本発明は、このような従来技術の課題を解消するためになされたもので、陳列物の交換を容易に行うことができる陳列ケースを提供することを目的とする。
【０００５】
【課題を解決するための手段】
本発明の陳列ケースは、底板と天板とが側板により支持され、前面が下端を回動可能に支持して前開き可能とされた板状前扉で構成された陳列ケースであって、底板における前扉下端の回動域の後部に、前扉を開いたときに前扉下端が当接する当接部が設けられ、前扉が当接部と前扉下端との当接により所定角度に開くように構成されていることを特徴とする。
【０００６】
本発明の陳列ケースにあっては、前扉を開くと所定角度に開き、陳列物の交換が可能である故に、陳列物の交換を容易に行うことが可能となる。特に、陳列ケースを縦に重ねたときでも前扉を開けばよく、単体の場合と同様に簡単に陳列物の交換を行うことができる。
【０００７】
本発明の陳列ケースにおいて、前扉下端の支持構造は、左右の両側板に設けた縦長孔と、この縦長孔に支持され、前扉の左右両端面に設けられた軸とにより構成され、前扉が閉めた状態で上方への移動可能に設けられ、前扉の左右両端の少なくとも一方に左右方向外側へ突出形成した突出部が、左右側板の該当するものの前面を奥側へ窪ませて形成した段付き部に載るようになっているとともに、段付き部が奥側に下傾し、かつ突出部の下端が下側に凸状となっている構成とすることができる。
【０００８】
この構成にあっては、前扉を閉じるとき、前扉を閉めて上側に引き上げ、その後に前扉を降ろすと、前扉の突出部下端が左右側板の奥側に下傾した段付き部に填り込んだ状態で載ることとなり、前扉が勝手に開くことが防止される。
【０００９】
本発明の陳列ケースにおいて、底板と天板のそれぞれには、重ねたときに相互に係合する位置決め手段が設けられている構成とすることができる。
【００１０】
この構成にあっては、本発明の複数の陳列ケースを縦に重ねたとき、下側の天板に設けた位置決め手段と、上側の底板に設けた位置決め手段とが相互に係合するので、左右および前後方向での位置決めが自ずと行われ、かつ使用中における位置ずれも防止される。
【００１１】
【発明の実施の形態】
以下、本発明の実施形態を具体的に説明する。
【００１２】
図１は本実施形態に係る陳列ケース（前扉を閉めた状態）を斜め上方から見た斜視図であり、図２は本実施形態に係る陳列ケース（前扉を開けた状態）を斜め上方から見た斜視図、図３は本実施形態に係る陳列ケース（前扉を閉めた状態）を斜め下方から見た斜視図、図４は本実施形態に係る陳列ケース（前扉を閉めた状態）を示す右側面図（一部破断）である。なお、図４では、本実施形態の陳列ケースを載せる載置台を併せて示す。
【００１３】
この陳列ケース１は、底板２と天板３とが側板４、５、６により支持され、前面には板状前扉７が設けられている。側板４は右側板、側板５は背面側の側板、側板６は左側板である。前扉７は、下端に設けられた支持構造１０により回動可能に支持されていて、上部に設けられた把持部７ｂを把持して手前に引くと前開き可能となっている。これら底板２、天板３、側板４〜６および前扉７は、総て透明な樹脂製である。なお、これら底板２、天板３、側板４〜６および前扉７は、透明でなくてもよく、半透明な樹脂製でもよい。また、前扉７を除く、底板２、天板３および側板４〜６は、金属製等でもよい。
【００１４】
天板３の上面には、周縁に上向きに突出した位置決め突起３ａが全周にわたり形成されており、天板３の上面前側には、位置決め突起３ａよりも奥側にスペーサ３ｂが複数箇所に形成されている（図１参照）。一方、底板２の下面には、図３に示すように、周縁よりも少し内側寄りの位置に、全周にわたり下側に突出した位置決め突起２ａが形成されている（図３参照）。この位置決め突起２ａは、図４に示すように載置台３０の上に載せた場合には、載置台３０の上面に形成した凹部３１の内側に入って滑り止め用に用いられ、図５に示すように陳列ケース１を縦方向に重ねたときには、位置決め突起３ａの内側に配されて位置決めするように用いられる。図５は、その重ねた状態を右側面側から見た図である。
【００１５】
図６は、前扉７の左右両側に設けられた支持構造１０を示す図であり、（ａ）は正面図、（ｂ）は右側面図である。
【００１６】
支持構造１０は、左右の両側板４、６の前側下端の近傍に設けた縦長孔１１と、この縦長孔１１に支持され、前扉７の左右両端面に設けられた軸１２とにより構成される。よって、前扉７は、軸１２が縦長孔１１にて拘束されることで、軸１２を中心として前開きでき、また閉めた状態で縦長孔１１の長さと軸１２の直径の差分だけ上方へ移動できる。
【００１７】
前扉７は、左右両端に左右方向外側へ突出した突出部１３が形成されている。これら突出部１３は、左右側板４、６の前面を奥側へ窪ませて形成した段付き部１４の上に載るようになっており、その段付き部１４は奥側に下傾するように形成され、一方の突出部１３の下端には、下側に凸状となった凸部１３ａが形成されている。よって、図４に示す前扉７を閉めた状態から開けるときは、図７に示すように前扉７を持ち上げて引いて、突出部１３の凸部１３ａを段付き部１４から逃がし、後は図８に示すように開けるようにすればよい。一方、閉めるときは、上記とは逆に行えばよく、突出部１３の凸部１３ａが段付き部１４に係止されることで、突出部１３の凸部１３ａが奥側に下傾した段付き部１４に填り込み、開かないように止められる。
【００１８】
底板２における前扉７の下端７ａの回動域の後部には、図８に示すように、その手前側（下端７ａの下側）を省略することで当接部１５が形成され、前扉７を開いたときに前扉７の下端７ａが当接部１５に当接するようになっている。これにより、前扉７を開けたときは、前扉７は所定角度に開く。
【００１９】
したがって、このように構成された本実施形態の陳列ケース１による場合には、図９に示すように、陳列物２０を入れ替えて交換する際、前扉７を開けるとともにその開けた前扉７の背面を仮置き場として用いることで、陳列物２０の入れ替え交換を容易に行うことが可能となる。例えば、図示例のように下側の陳列ケース１の前扉７を開けて、その背面上に、下側の陳列ケース１にそれまで陳列されていた陳列物２０を仮置きし、空になった下側の陳列ケース１に、上側の陳列ケース１の前扉７を開けて内部に収納されている陳列物２０を取り出して下側の陳列ケース１に収納し、下側の陳列ケース１における前扉７の背面上に仮置きしていた陳列物２０を上側の陳列ケース１に収納することで、陳列物２０を容易に交換することができる。この交換に際し、前扉７は開けたときに水平またはそれに近い角度になるように設定しておくことが好ましい。また、上述のようにして行う陳列物２０の交換は、上側の陳列ケース１の前扉７を開けて、それを仮置き場として利用する場合においても同様である。
【００２０】
また、本実施形態において、陳列ケース１を図５に示すように縦方向に重ねた場合、天板３の位置決め突起３ａの内側に、底板２の位置決め突起２ａが配されるように係合するので、左右および前後方向での位置決めが自ずと行われる。また、使用中における位置ずれも防止される。
【００２１】
なお、上述した実施形態では明言していないが、開いたときの前扉７の角度は、前扉７の下端７ａの角度と、その下端７ａが当接する当接部１５の前面の角度とを調整することで、所望の角度に設定変更することができる。
【００２２】
また、上述した実施形態では当接部１５を、底板のその手前側を省略することで形成しているが、本発明はこれに限らず、当接部の前側に底板を延長し、その延長部分を、前扉７の下端７ａが接触しないように低くして段差を設け、その段差部を当接部として用いるようにしてもよい。
【００２３】
また、上述した実施形態では前扉の左右両端に突出部を設け、左右側板の両方に段付き部を設けるようにしているが、本発明はこれに限らず、前扉の左右片側に突出部を設け、左右側板の該当する方に段付き部を設けるようにしてもよい。
【００２４】
【発明の効果】
以上詳述したように、本発明による場合には、前扉を開くと所定角度に開き、陳列物の交換が可能である故に、陳列物の交換を容易に行うことが可能となる。特に、陳列ケースを縦に重ねたときでも前扉を開けばよく、単体の場合と同様に簡単に陳列物の交換を行うことができる。
【図面の簡単な説明】
【図１】本発明の一実施形態に係る陳列ケース（前扉を閉めた状態）を斜め上方から見た斜視図である。
【図２】本発明の一実施形態に係る陳列ケース（前扉を開けた状態）を斜め上方から見た斜視図である。
【図３】本発明の一実施形態に係る陳列ケース（前扉を閉めた状態）を斜め下方から見た斜視図である。
【図４】本発明の一実施形態に係る陳列ケース（前扉を閉めた状態）を示す右側面図（一部破断）である。
【図５】本発明の一実施形態に係る陳列ケースを縦方向に３段重ねた状態を示す右側面図である。
【図６】本発明の一実施形態に係る陳列ケースに設けられた支持構造を示す図であり、（ａ）は正面図、（ｂ）は右側面図である。
【図７】本発明の一実施形態に係る陳列ケースの前扉を開け閉めする際の途中の状態を示す右側面図である。
【図８】本発明の一実施形態に係る陳列ケースの前扉を開けた状態を示す右側面図である。
【図９】本発明の一実施形態に係る陳列ケースにおいて陳列物を交換する際の説明図（斜視図）である。
【符号の説明】
１　陳列ケース
２　底板
２ａ、３ａ　位置決め突起
３　天板
４、５、６　側板
７　前扉
７ａ　下端
１０　支持構造
１１　縦長孔
１２　軸
１３　突出部
１４　段付き部
１５　当接部
【図１】
2004089540.tif 000003
【図２】
2004089540.tif 000004
【図３】
2004089540.tif 000005
【図４】
2004089540.tif 000006
【図５】
2004089540.tif 000007
【図６】
2004089540.tif 000008
【図７】
2004089540.tif 000009
【図８】
2004089540.tif 000010
【図９】
2004089540.tif 000011